(57)【要約】【課題】販売業者と引き取り業者との間で還流させる還流商品として用いる記録メディアにおいて、当該メディアの識別情報を書き込むデータキャリアを通信障害の発生なしに備えた記録メディアを提供することある。【解決手段】データキャリア２はシート３の裏面に貼り付けられて該シート３を介して光ディスク１に取り付けられるもので、シート３を光ディスク１のディスク面の所定位置に貼り付けたときに、センターホール１１の略中心にチップ部２０が位置し、またチップ部２０の両側から延設してある対のリード線部２１，２１の一端がセンターホール１１と金属反射膜層１０との間の部位上に位置し且つアンテナ２２が当該部位上に重なるようにデータキャリア２のシート３への貼り付け位置、リード線部２１，２１の長さ、アンテナ２２の大きさが定められている。【選択図】図１
2006139868.tif 000002
【特許請求の範囲】
【請求項１】
情報読み出し用のレーザー光を反射させる金属反射膜層を有する光ディスクと、該光ディスクに取り付けられ、当該光ディスクの再生使用時に少なくとも一部が前記光ディスクから除かれて機能停止となる無線型のデータキャリアとを備え、該データキャリアに当該光ディスクの識別情報を記録している記録メディアであって、前記データキャリアのアンテナを前記金属反射膜層の形成位置から外れている前記光ディスクのディスク面上に配置していることを特徴とする記録メディア。
【発明の詳細な説明】
【技術分野】
【０００１】
本発明は、ゲームプログラムや音楽プログラム等が書き込まれ、販売と買い取りの流通サービスの商品となる記録メディアに関するものである。
【背景技術】
【０００２】
公衆電話機等の各種プリペイドカードが流通しているが、この種のプリペイドカードは使用したときにパンチ孔を穿孔したり、カードの一部を切除することで使用／未使用を判別可能とし、不正使用などを防ぐようになっている（例えば特許文献１）。
【０００３】
一方記録メディアを用いた次のような流通サービスも提案されている。つまりこの流通サービスはＣＤ−ＲＯＭ、ＣＤ−Ｒ、ＤＶＤ等の各種光ディスクからなる記録メディアを販売する販売業者と、記録メディアを購入若しくは贈られた者から未使用のまま買い取ったり、等価物と交換する引き取り業者とで流通を形成し、引き取り業者側で引き取った未使用の記録メディアは販売者側に転売することで未使用の記録メディアを販売者、顧客、引き取り業者において循環流通させるサービスである。
【０００４】
ところで上述のようなプリペイドカードの場合では未使用と使用との識別に、カードに直接孔を空けたり、一部を切除する方法が用いられているが、上記の光ディスクの場合、孔を空けたり、切除する手段が汎用のドライブ装置には備わっておらず、一般的でない。
【０００５】
また光ディスクには、販売業者の識別情報を書き込む識別情報部や、使用状態を確認するための手段が備わっておらず、そのためそのままの形では上述の流通サービスに有効に活用できず、当該流通サービスに適し、且つ汎用のドライブ装置において再生することができる光ディスクからなる記録メディアが希求されていた。
【０００６】
そこで、本出願人は、光ディスクと無線電波（例えばマイクロ波）を用いた所謂ＲＦ（Radio Frequency）型のデータキャリアとを組み合わせ、このデータキャリアに販売業者の識別情報や販売日時等の情報を販売時に書き込み、当該光ディスクのプログラム再生を行う場合には、データキャリアの機能を物理的に破壊させなければらならないように光ディスクに対するデータキャリアの取り付け位置や取り付け方法を工夫した記録メディアを既に提案している。
【特許文献１】特開２０００−１８２０１５号公報（図１）
【発明の開示】
【発明が解決しようとする課題】
【０００７】
上記のようにデータキャリアと光ディスクとを組み合わせた記録メディアは、データキャリアにより販売業者の識別情報や販売日時等の識別情報を持たせ、引き取り業者ではデータキャリアに記録されている情報をリーダー装置にて読み取ることができる状態では当該記録メディアを未使用と判断し、またデータキャリアに書き込まれた販売業者や販売日時等の識別情報に基づいて引き取り（買い取り）の判断を行うことができるという利点や、データキャリアを元の取り付け状態に戻すことで未使用状態が偽装されるのを、データキャリアの物理的破壊で防ぐことができるという利点がある。
【０００８】
しかしながら、使用するＲＦ型のデータキャリアは、アンテナを用いて無線によりリーダー／ライタ装置との間で情報の送受と電力供給を受けるものであるが、光ディスクはレーザー光を照射してその反射光により記録情報を読み出すために、レーザー光の反射のための金属反射膜層をディスク全体に形成しているため、アンテナが金属反射膜層に重なる形で配置され、そのため通信障害を受けるという問題があった。
【０００９】
本発明は、前記問題点に鑑みて為されたもので、その目的とするところは販売業者と引き取り業者との間で還流させる流通サービスに用いる記録メディアにおいて、当該メディアの識別情報を書き込むデータキャリアを通信障害の発生なしに備えた記録メディアを提供することある。
【課題を解決するための手段】
【００１０】
上述の目的を達成するために、請求項１の発明では、情報読み出し用のレーザー光を反射させる金属反射膜層を有する光ディスクと、該光ディスクに取り付けられ、当該光ディスクの再生使用時に少なくとも一部が前記光ディスクから除かれて機能停止となる無線型のデータキャリアとを備え、該データキャリアに当該光ディスクの識別情報を記録している記録メディアであって、前記データキャリアのアンテナを前記金属反射膜層の形成位置から外れている前記光ディスクのディスク面上に配置していることを特徴とする。
【発明の効果】
【００１１】
本発明は、非接触で識別情報の書き込みや読み取りが行える無線型のデータキャリアを光ディスクに備えていることで、メディア流通管理が販売業者と引き取り業者とで簡単に行える汎用の光ディスクからなる記録メディアを提供することができ、しかも光ディスクの金属反射膜層による通信障害もなく、リーダー／ライタ装置との間での情報の送受も確実に行えるという効果を奏する。
【発明を実施するための最良の形態】
【００１２】
以下本発明を実施形態により説明する。
（実施形態１）
図１（ａ）〜（ｂ）は、本実施形態の記録メディアＭを示しており、本実施形態の記録メディアＭは外形が長方形の汎用の光ディスク＜例えば再生専用のＣＤ−ＲＯＭ（或いはオーディオＣＤ）＞１と、この光ディスク１に取り付ける上述のＲＦ型のデータキャリア２とから構成され、光ディスク１の保護膜面上にはデータキャリア２を保持する円形の絶縁材からなるシート３を感圧接着層４により貼り付け、更にシート３の表面には光メディア１よりやや小さな相似形のカバーラベル５を感圧接着層６により貼り付けてある。
【００１３】
ここで記録メディアＭに用いる光ディスク１は記録層に対応したアルミからなる環状の金属反射膜層１０を図１（ｃ）に示すようにセンターホール１１と同心に形成し、この光ディスク１全体を金属反射膜層１０が覆わないようにしてある。つまり金属反射膜層１０内側でセンターホール１１との間のディスク面或いは金属反射膜層１０の外側のディスク面には金属反射膜層１０とは重ならない部位を確保している。
【００１４】
本実施形態に用いるデータキャリア２はチップ部２０と、このチップ部２０の両端から導出された一対のリード線部２１，２１と、一方のリード線部２１の先端に一端が連なり、他方のリード線部２１の先端に他端が連なり、チップ部２０を中心にしてチップ部２０を囲むように形成された渦状のアンテナ２２とからなるもので、前記シート３の裏面に貼り付けられて該シート３を介して光ディスク１に取り付けられるようになっている。そしてシート３をディスク面の所定位置に貼り付けたときに、センターホール１１の略中心にチップ部２０が位置し、またチップ部２０の両側から延設してある対のリード線部２１，２１の一端がセンターホール１１と金属反射膜層１０との間の部位上に位置し且つアンテナ２２が当該部位上に位置するようにデータキャリア２のシート３への貼り付け位置、リード線部２１，２１の長さ、アンテナ２２の大きさが定められている。
【００１５】
またディスク面に貼り付けたときにセンターホール１１内に位置するシート３及びカバーラベル５の部位にはセンターホール１１の内径よりやや大きな径の円周上にミシン目などの切り目３０を形成し、当該部位を切り取り可能としている。つまり当該部位の切り取りによりデータキャリア２のリード線部２１，２１が切断されてチップ部２０が光ディスク１から取り除かれ、データキャリア２が物理的に破壊されるようなっている。
【００１６】
而して当該記録メディアＭを販売するに当たり、販売業者がライタ装置によって光ディスク１に取り付けられた上述のＲＦ型のデータキャリア２に識別情報を書き込む場合や、引き取り業者が記録メディアＭを引き取る（買い取る）に当たり、データキャリア２に書き込まれている識別情報をリーダー装置により読み取る場合には、電波によって各装置とデータキャリア２との間で情報の送受を行うとともにデータキャリア２へ電力供給を行うのであるが、本実施形態の記録メディアＭではデータキャリア２のアンテナ２２をセンターホール１１と、光ディスク１の金属反射膜層１０との間のディスク面の部位に配置しているため、アンテナ２２が金属反射膜層１０に重ならず、そのため金属反射膜層１０の影響を受けることがなく、リーダー／ライタ装置とデータキャリア２との間で情報送受と電力供給とが通信障害なしに確実に行えるのである。
【００１７】
次に本実施形態の記録メディアＭを用いた流通サービスを簡単に説明する。
【００１８】
販売業者が記録メディアＭを販売するに際しては、販売業者や販売日時等の識別情報をライタ装置によりデータキャリア２に書き込む。
【００１９】
そして販売業者から記録メディアＭを購入した購買者或いは購買者らから贈られた者が、当該記録メディアＭの記録層に記録されているゲームプログラムや音楽プログラムを再生して楽しみたい場合にはまず切り目３０を利用してセンターホール１１内に対応するシート３及びカバーラベル５の部位を切り取り、センターホール１１を露呈させる。これにより通常の光ディスクと同様に記録メディアＭをドライブ装置にセットすれば、光ディスク１の記録層に記録されているプログラムを再生して楽しむことができるのである。
【００２０】
一方プログラム再生のために上述のシート３及びカバーラベル５の切り取りを行うと、データキャリア２のチップ部２０がリード線部２１から切り離される形で光ディスク１から取り除かれるため、チップ部２０を取り除いた記録メディアＭを客が引き取り業者に持って行っても、使用済みであることが一目で分かることになり、引き取り業者が使用済みの記録メディアＭを引き取って（買い取って）しまうという過ちは回避できる。
【００２１】
つまりプログラムを再生することで当該記録メディアＭを実質的に客が購入したことになる。そして使用したにも拘わらず抜き取ったチップ部２０を含む部位を抜き取り部位に嵌め込んで、外観的に未使用状態に偽装したとしても、切断されたリード部２１，２１を外観上見破られないように接合するのは非常に困難であるため、リーダー装置によってデータキャリア２に書き込まれた識別情報を読み取ることができず、当該記録メディアＭが使用済みであることを容易に見破ることができ、偽装した使用済みの記録メディアＭの引き取り（買い取り）を防ぐことができるのである。また最初から偽造された記憶メディアＭではデータキャリア２の記録情報の読み取りによって見破ることもできるのである。
【００２２】
さて販売業者から記録メディアＭを購入したものの、他のプログラムの記録メディアＭが欲しくなったり、或いは不要となった場合、客は当該記録メディアＭを引き取り業者（買い取り業者）に所定の料金で引き取って（買い取って）貰ったり、等価物との交換を行うことが当該流通サービスでは可能となっている。
【００２３】
つまり客は未使用の記録メディアＭを引き取り業者に持って行けば良く、引き取り業者は持参された記録メディアＭが未使用かどうかを外観上で確認し、更にリーダー装置によりデータキャリア２に記録されている識別情報を読み出し、識別情報に基づいて当該記録メディアＭが買い取り対象品であることを判断し、所定料金で買い取るか或いは等価物との交換に応じるのである。この場合販売業者が当該引き取り業者と取引関係にあるのかどうかの判断をも識別情報から行い、また販売日時からの経過日時を判断し、経過日時に応じた料金決定や引き取り拒否などの判断に使用する。引き取り業者は引き取った（買い取った）記録メディアＭを販売業者に転売することで記録メディアＭを商品として流通に還流させることができることになる。
（実施形態２）
上記実施形態１ではデータキャリア２のアンテナ２２の配置位置を光ディスク１のセンターホール１１と、金属反射膜層２１との間のディスク面であったが、図２（ａ）に示すように金属反射膜層２１が形成されていないディスク面の片側部位や、図２（ｂ）に示すディスク面の両側部位であっても良い。尚図２（ａ）では渦巻き状の一つのアンテナ２２が用いられている。図２（ｂ）では渦巻き状の二つのアンテナ２２ａ、２２ｂが用いられている。
【図面の簡単な説明】
【００２４】
【図１】実施形態１の記録メディアを示しており、（ａ）は分解した状態の側断面図、（ｂ）は同上の側断面図、（ｃ）は同上の下面図である。
【図２】実施形態２を示しており、（ａ）はアンテナを片側配置した例の下面図、（ｂ）はアンテナを両側配置した例の下面図である。
【符号の説明】
【００２５】
１  光ディスク
１０  金属反射膜層
１１  センターホール
２  データキャリア
２０  チップ部
２１  リード線部
２２  アンテナ
３  シート
４  感圧接着層
５  カバーラベル
６  感圧接着層
Ｍ  記録メディア
【図１】
2006139868.tif 000003
【図２】
2006139868.tif 000004